(57)【要約】【課題】  アジ等の生餌に乗った又は食い付いたイカを、より確実に捕獲できるイカ釣り用ヤエンを提供する。【解決手段】  支持体の後方側に道糸への糸係合部を形成するとともに、支持体の前方側に複数個の掛け針を配置させた構成のイカ釣り用ヤエンにおいて、前記支持体が弾性線材で構成されているとともに、少なくとも支持体の表面が白色系の色彩を有することを特徴とするイカ釣り用ヤエンとしている。また、前記支持体の前方側に設けられた複数の掛け針が、支持体に対して上向きのもの及び下向きのものが取り付けられており、且つ、上向きの掛け針と下向きの掛け針の取り付け位置が、支持体の長さ方向に離間している。【選択図】          図１
0003141776.tif 000002
【実用新案登録請求の範囲】
【請求項１】
支持体の後方側に道糸への糸係合部を形成するとともに、支持体の前方側に複数個の掛け針を配置させた構成のイカ釣り用ヤエンにおいて、前記支持体が弾性線材で構成されているとともに、少なくとも支持体の表面が白色系の色彩を有することを特徴とするイカ釣り用ヤエン。
【請求項２】
前記支持体がバネ用ステンレス線でできていて、その線径が１．０ｍｍ以下であり、支持体の表面に白色塗装が施されていることを特徴とする請求項１に記載のイカ釣り用ヤエン。
【請求項３】
前記支持体の前方側に設けられた複数の掛け針として、支持体に対して上向きのもの及び下向きのものが取り付けられており、且つ、上向きの掛け針と下向きの掛け針の取り付け位置が、支持体の長さ方向に離間していることを特徴とする請求項１または２に記載のイカ釣り用ヤエン。
【請求項４】
前記支持体の前方側に配置された複数個の掛け針として、先端部に傘針が設けられるとともに上向きの掛け針と下向きの掛け針とが取り付け位置を離間して支持体に取り付けられており、傘針の複数の針と上向きの掛け針および下向きの掛け針とが、前記支持体の軸心と平行な方向から見るときの針先の角度として、一致しているものと一致していないものとを有することを特徴とする請求項１〜３のいずれかに記載のイカ釣り用ヤエン。
【請求項５】
前記支持体の後方側に形成された道糸への糸係合部のうち、道糸と摺接する部分に、フッ素樹脂コーティングがされていることを特徴とする請求項１〜４のいずれかに記載のイカ釣り用ヤエン。
【考案の詳細な説明】
【技術分野】
【０００１】
この考案は、アジやイワシ等の生餌を用いてイカ釣りを行なう際に使用するイカ釣り用ヤエン（以下、ヤエンという）の改良に関するものである。
【背景技術】
【０００２】
イカ釣りには、餌木やイカヅノを使用した釣り方や、アジ等の生餌を使用したブッ込み釣りやウキ釣り等の方法があるが、大型のアオリイカを狙うような場合には、アジ等の生餌を使用したヤエン釣りが行なわれている。ヤエン釣りは、釣竿から延ばした道糸の先端に生きたアジ等を結び付けた状態で投げ込み、イカがアジ等に乗った段階で、掛け針の付いたヤエンを道糸に沿って投入し、そのヤエンによってイカを釣りあげるという釣り方である。
【０００３】
一般的に使用されているヤエンは、線材でできた支持体の前方側に複数の掛け針を取り付けるとともに、後方側に道糸への掛け止め部を形成した構成となっている。例えば下記の特許文献１にもそのような構成のヤエンが記載されている。
【特許文献１】特開２００４−４９０２３号公報
【考案の開示】
【考案が解決しようとする課題】
【０００４】
イカ釣りに使用されるヤエンは、道糸の先端に結び付けたアジ等の生餌にイカが乗った時点から生餌を食べている間に、道糸に沿わせてヤエンをイカに向けて投下し、ヤエンに取り付けられた掛け針でイカを釣り上げるものである。従来、一般的に使用されている構成のヤエンを使用した場合、その投入のタイミングが難しく、ヤエンにイカがうまく掛かる確率は必ずしも高くない。ヤエンの投入時にイカが異常を感じて逃げたり、ヤエンがイカに掛かったとしても、その掛かりが浅いときには身切れして外れてしまったりすることも多い。
【０００５】
また、イカに対する道糸の角度や潮流が変化した場合、またはイカが暴れた場合には、イカに対するヤエンの位置や角度が変化して望ましい状態にならないことがある。そのような場合、支持体に対し上向きにのみ掛け針が設けられた従来の一般的なヤエンでは、ヤエンがイカの背側（上側）に位置しているとイカを釣り上げることが難しくなるという課題もあった。
【０００６】
本考案は、従来のヤエンにおける課題を解決するために改良を加えたものであり、アジ等の生餌に食い付いたイカを、より確実に釣り上げることができるヤエンを提供しようとするものである。
【課題を解決するための手段】
【０００７】
請求項１に係るヤエンは、支持体の後方側に道糸への糸係合部を形成するとともに、支持体の前方側に複数個の掛け針を配置させたものであり、前記支持体が弾性線材で構成されており、少なくとも支持体の表面が白色系の色彩を有することを特徴としている。
【０００８】
このヤエンでは、支持体の表面が白色系の色彩を有しているので、イカから見た場合、生餌（アジ）の腹や空の色（いずれも白っぽい）と似ていて、ヤエンを認識し難くなる。その結果、ヤエンの投入時にもイカが異常を感じる（違和感をもつ）ことが少なくなり、イカに逃げられにくくなる。
また、このヤエンは弾性線材で構成されているので、イカがヤエンに異常を感じて逃げようとしたり暴れたりした場合でも、イカの動きに合わせて柔軟に変形して、バラシや身切れを防止することができる。
【０００９】
請求項２に係るヤエンは、前記支持体がバネ用ステンレス線（例えば、ＳＵＳ３０４−ＷＰＢ）でできていて、その線径が１．０ｍｍ以下であり、支持体表面に白色塗装が施されていることを特徴としている。
【００１０】
支持体がバネ用ステンレス線でできていてその線径が１ｍｍ以下と細いため、このヤエンは、イカが暴れても無理なくスムーズに追従して変形し、しかも折損しないだけの柔軟性と引張強度を発揮する。すなわち、イカの動きにヤエンが柔軟に追従し、バラシや身切れを起こし難い。また、支持体が白色であってイカがヤエンを認識し難く、違和感をもたれることが少なくなるので、イカに針を掛けることも容易になる。なお、塗装によって白色にするので、他の表面処理により白色にする場合に比べてヤエンの製造コストも低めに抑制される。
【００１１】
請求項３に係るヤエンは、前記支持体の前方側に設けられた複数の掛け針として、支持体に対して上向きのもの及び下向きのものが取り付けられており、且つ、上向きの掛け針
と下向きの掛け針の取り付け位置が、支持体の長さ方向に離間していることを特徴としている。
【００１２】
従来のヤエンは、支持体の先端部に傘針（傘の骨のように複数の針が放射状に設けられたもの）が取り付けられるとともに、支持体に対して上向きの掛け針のみが取り付けられている。この場合、ヤエンがイカの背側（上側）にあると、掛け針がイカに刺さらないので、イカを釣り上げることができない。また、イカが暴れた場合は身切れしてバラすことが多い。これに対し、支持体に対して上向きの掛け針及び下向きの掛け針を取り付けることにすると、ヤエンがイカの腹側および背側のいずれにあっても、イカを釣り上げることが可能になる。またイカが暴れても、上向きおよび下向きの掛け針がイカに刺さるので、より確実にイカを釣り上げることができる。なお、上向きの掛け針と下向きの掛け針の取り付け位置を、支持体の長さ方向に離間して設けると、イカに対して掛け針が刺さる部分が広くなるので、イカを釣り上げる可能性が更に向上する。イカの身のうち、針に刺さった箇所とは離れた位置にある暴れて動く箇所が、離れた位置にある別の針にさらに刺さることになるので、その点でもイカを釣り上げられる可能性が高くなる。
【００１３】
請求項４に係るヤエンは、前記支持体の前方側に配置された複数個の掛け針として、先端部に傘針が設けられるとともに上向きの掛け針と下向きの掛け針とが取り付け位置を離間して支持体に取り付けられており、傘針の複数の針と上向きの掛け針および下向きの掛け針とが、前記支持体の軸心と平行な方向から見るときの針先の角度として、一致しているものと一致していないものとを有する（たとえば図４のようになっている）ことを特徴とする。
【００１４】
従来の一般的な傘針は６本の針先が放射状に形成されている。また、掛け針は２本または３本の針先が放射状に形成されている。そして、支持体の軸心と平行な方向から針先を見たとき、傘針の複数の針先の取り付け角度と掛け針の針先の取り付け角度は同一となっている。この構成であると、ヤエンに取り付けられた掛け針の針先が、イカの方向を向いていないとイカを刺すことができない。
これに対して、上記のように前記支持体の軸心と平行な方向から見るとき、傘針の複数の針先の取り付け角度と上向きの掛け針または下向きの掛け針の針先の取り付け角度が一致していないものを含む構成とすれば、掛け針の針先が、支持体の軸心に対して放射状にさまざまな角度に向けられているため、ヤエンが生餌に到達さえすれば、いずれかの掛け針がイカに刺さりやすい。そのため、イカを逃がさずに釣り上げられる確率が高くなる。
【００１５】
請求項５に係るヤエンは、前記支持体の後方側に形成された道糸への糸係合部のうち、道糸と摺接する部分に、フッ素樹脂コーティングがされていることを特徴とする。
支持体にバネ用ステンレス線材を使用するとしても、繰り返し海水に浸漬させると錆が発生し、ヤエンは道糸上を滑らかには摺動しなくなることがある。そうなると、ヤエンが道糸の途中で停止するなど、生餌まで到達するのが遅くなってイカ釣りに失敗することも考えられる。これを防ぐため、糸係合部の少なくとも道糸と摺接する部分にフッ素樹脂コーティングを施すのである。これにより、長期間にわたって道糸上をヤエンが円滑に摺動するので、イカを効率的に釣り上げることができる。
【考案の効果】
【００１６】
本考案のヤエンでは、支持体が弾性線材で構成されているとともにその表面が白色系の色彩を有することから、イカがヤエンに対して違和感をもちにくいうえ、一旦イカに針が刺さると、イカの動きに合わせて支持体が柔軟に変形することによりバラシや身切れを起こし難い。支持体がバネ用ステンレス線でできていて線径が１．０ｍｍ以下であり、その表面に白色塗装が施されているようにすると、とくに好ましい。
【００１７】
また、支持体に対して上向きの針及び下向きの掛け針を取り付けると、ヤエンがイカの腹側および背側のいずれに到達してもイカを容易に釣り上げることができる。その場合、イカが暴れると、上向きおよび下向きの掛け針がイカに刺さるので、より確実にイカを釣り上げることが可能となる。上向きの掛け針と下向きの掛け針とを支持体の長さ方向に離間して設けると、イカに対して掛け針が刺さる部分が広くなる等の利点があり、イカを釣り上げるうえでさらに好ましい。
【００１８】
また、上向き・下向きの各掛け針の針先の取り付け角度をさまざまな角度にすると、いずれかの掛け針がイカの方向に向いていてイカの身体に刺さりやすくなるので、イカをさらに容易に釣り上げやすくなる。
【００１９】
糸係合部の少なくとも道糸と摺接する部分がフッ素樹脂コーティングされていると、長期間にわたって道糸上をヤエンが円滑に摺動するので、イカを効率的に釣り上げることができる。
【考案を実施するための最良の形態】
【００２０】
以下、本考案のヤエンについて、図面に基づいて詳細に説明する。図１は本考案の実施形態の一例を示す斜視図である。図１において、ヤエン１は、道糸３０に引っ掛けられて道糸３０に沿って海中に投入・誘導され沈下するようになっている。ヤエン１は、支持体２の後方側に、道糸３０への糸係合部３を立設させるとともに、支持体２の前方側に複数の掛け針５、６を配置した構成となっている。
【００２１】
支持体２および掛け針５，６は、例えばバネ用ステンレス線材（例えば、ＪＩＳに規定するＳＵＳ３０４−ＷＰＢ）等により構成されている。なお、掛け針５，６は、高炭素鋼等により構成してもよい。また、支持体２は、その線径が１．０ｍｍ以下で、より好ましくは０．８ｍｍから１．０ｍｍであり、断面が円形の細長線状に形成されている。このため、ヤエン１が海中に誘導された際には、水の抵抗が小ないので速やかに沈下して生餌に到達する。また、ヤエン１の後方端部には、ハンドリングを容易にするための把持部７が設けられている。なお、後方端部にヤエンを速やかに沈下させるためと、沈下中のバランスを保つために重り（図示しない）を取り付けてもよい。
【００２２】
支持体２の先端部には傘針４が設けられている。傘針４は６本の鈎針の軸部を支持体２の軸部に結束固定するとともに、支持体２を軸心として鈎針の針先を等角度で放射状に配置したものである。掛け針５、６は、３本または２本の鈎針の軸部を結束固定するとともに、支持体２を軸心として鈎針の針先を放射状に配置したものである。前記支持体２の前方側に設けられた複数の掛け針５，６は、支持体２に対して上向きのもの及び下向きのものが取り付けられており、且つ、上向きの掛け針５の取り付け位置は傘針４寄りに、下向きの掛け針６の取り付け位置は糸係合部３寄りにあり、両者は支持体２の長さ方向に離間している。
【００２３】
糸係合部３は、支持体２に対して同じ向き（上向き）に真っ直ぐ立設されている。糸係合部３は、線材が用いられており、基端が支持体２の軸部に固定されている。なお、この糸係合部３は３本以上取り付けることも可能である。道糸３０への係合に用いられる糸係合部３は、ピアノ線やバネ用ステンレス線材等をもって形成されており、図５のように、その立ち上り部は、上方部と下方部とをＵ字状に屈曲させ、線端８が立ち上り部に僅かに沿った形となるように形成するとともに、線端８を円錐状または角取り加工を施した構成となっている。これにより、立ち上り部の下方から道糸３０を沿わせて引き入れることにより、ヤエンを道糸３０に係合させることができ、また道糸３０から外す際には、道糸３０を立ち上り部に沿って引き出せばよい。この場合、線端８が円錐状または角取り加工を施した構成となっているので、道糸３０を傷つけることなくワンタッチ操作で外すことができる。
２本（または３本以上）の糸係合部３は、後部側が前部側よりも長尺に（高くなるように）形成されている。これにより、ヤエンの支持体は道糸に対して並行ではなく、支持体の先端側が支持体の後端側よりも道糸に近い状態で係止されるので、ヤエンが生餌に到達したときに、ヤエンの先端部がイカにより近づくので、掛け針がイカに刺さり易い。
【００２４】
図２は、本考案の他の実施形態を示す斜視図である。図２に示すヤエン１１は、図１に示すヤエン１に対して、掛け針５，６の構成が異なるものであり、その他の構成や機能は基本的に同一となっている。図２において、支持体２の前方側には針先が支持体２に対して上向きの掛け針５が２個設けられており、針先が支持体２に対して下向きの掛け針６が２個設けられている。上向きの掛け針５は３本の鈎針を有し、下向きの掛け針６は２本の鈎針を有している。それぞれの掛け針５，６は、３本または２本の鈎針の軸部を結束固定するとともに、支持体２を軸心として鈎針の針先を放射状に配置したものである。また、上向きの掛け針５と下向きの掛け針６の取り付け位置は、支持体２の長さ方向に離間している。このように、傘針の有無、掛け針の取り付け位置、取り付け方向（上向きまたは下向き）、個数および鈎針の本数は、適宜変更することができる。
【００２５】
図３は、本考案のさらに他の実施形態を示す斜視図である。図３に示すヤエン２１は、図１に示すヤエン１に対して、前方側の構成が異なるものであり、その他の構成や機能は基本的に同一となっている。図３において、ヤエン２１は、支持体２１の後方側に、道糸３０への糸係合部３を上向きに立設させるとともに、支持体２１の前方側は二股に分岐した枝杆２３，２４が形成されており、各枝杆２３，２４には複数の掛け針５、６を配置した構成となっている。
【００２６】
各枝杆２３，２４の基部は、ヘの字状の屈曲部を形成して後方側の支持体２２に接続されているとともに、互いに並行に延設されている。各枝杆２３，２４には枝杆２３，２４を軸心として上部側（糸係合部３の立設向きと同じ側）に上向きの掛け針５が２個、逆の下部側に下向きの掛け針６が２個取り付けられている。上向きの掛け針５は先端部が３本の鈎針で、次が２本の鈎針である。下向きの掛け針６は、いずれも１本の鈎針である。離間して並行に設けられた２本の枝杆２３，２４に、それぞれ掛け針５，６が設けられているため、生餌に乗ったイカが掛け針５，６に引っ掛かり易くなる。なお、前記と同様に、傘針の有無、掛け針の取り付け位置、取り付け方向（上向きまたは下向き）、個数および鈎針の本数は、適宜変更することができる。
【００２７】
図４は、図１に示すヤエンのＸ矢視図である。図４において、支持体２には、その先端側から順に傘針４、上向きの掛け針５および下向きの掛け針６が取り付けられている。先端の傘針４は、支持体を軸心として放射状に（約６０°ずつ）６本の鈎針が結束固定されている。上向けの掛け針５は、支持体を軸心として放射状に（約４０°の間隔をおいて）３本の鈎針が結束固定されている。下向きの掛け針６は、支持体を軸心として放射状に（約４０°の間隔をおいて）２本の鈎針が結束固定されている。ここで図４に示すように、支持体２の軸心と平行な方向から見ると、傘針４の垂直方向上向きの針先と上向きの掛け針５における垂直方向上向きの針先の取り付け角度は一致しているが、その他の針先はいずれも取り付け角度が相違している。このようにすると、ヤエンが生餌に到達すれば、イカとヤエンの支持体との相対位置に関係なく、いずれかの掛け針の針先がイカに向いており、イカに刺さるので、イカを容易に釣り上げることができる。
【００２８】
図５は、本考案のヤエンにおける糸係合部３を拡大表示したものであり、（ａ）は支持体を長尺方向に（側方から）見た図であり、（ｂ）は（ａ）のＹ矢視図である。図５において、糸係合部３は道糸に係合するものであり、特に上方部はヤエン投入時に道糸と摺接する部分である。糸係合部３を支持体に取り付ける基端を除く部分は、フッ素樹脂コーティング９が施されている。これにより、道糸と糸係合部３の間の滑りがきわめて良くなるうえ、繰り返しヤエンが使用されても滑りが悪化することはない。
【００２９】
図１に示すヤエン１を使用してイカを釣る手順を説明する。先ず、道糸３０の先端に生餌を取り付けて海に投入し、生餌にイカが抱きつき、その当たりが得られたら、イカが生餌を食べるのに夢中になるまで待ち、ヤエン１を掛けるのに適した距離になるまで引き寄せる。そして、ヤエン１の前方部を前に向け、２個の糸係合部３を道糸３０に係合する。そして手を放せば、ヤエン１は自重によって道糸３０に沿って生餌を目指して下降し、生餌に前方の糸係合部３が当たって停止する。そこで、道糸３０を弛まないようにしつつ、釣り竿を上方にしゃくると、道糸３０の先端に取り付けられている生餌が引っ張られ、前方の糸係合部３が時計方向に押される。これにより、前方の糸係合部３を支点としてヤエン１の前方部が図１の時計方向に回動して、掛け針５，６がイカを直撃し、イカが生餌を放して逃げる間もなく、掛け針５，６をイカに引っ掛けることができる。このようにして引っ掛けたイカを、道糸３０を引き寄せて釣り上げる。
【００３０】
本考案による実施形態のヤエン１，１１，２１を使用する場合、生餌にイカ４０が食い付き、竿先にアタリを感じたときに、道糸３０を糸係合部３に通し、ヤエン１，１１，２１を道糸３０に係合して滑らせ、イカ４０の近傍に降下させる。このとき、生餌に対する道糸３０の角度が大きい場合（例えば鉛直に近い状態になっている場合）や潮流が変化した場合にヤエン１，１１，２１が生餌の背側に到達しても、ヤエン１，１１，２１の支持体には、上向きの掛け針および下向きの掛け針が取り付けられているので、図６（ａ）に示すように容易にイカ４０を引っ掛けることができる。また、図６（ｂ）に示すように、イカ４０が暴れたときでも、上向きの掛け針および下向きの掛け針にイカ４０が掛かりやすく、バラシや身切れを防ぐことができので、容易にイカを釣り上げることができる。
【実施例】
【００３１】
本考案によるヤエンを用いてイカ釣りをしたところ、表１に示すような釣果を得た。
ヤエンの材質：ＳＵＳ３０４−ＷＰＢ（掛け針以外すべて）
支持体の線径：０．８ｍｍ、１．０ｍｍの２種類
ヤエンの塗装色：白色
場所：三重県
日時：平成１９年１０月〜平成２０年１月
時間：６：００〜１４：００
【００３２】
【表１】
0003141776.tif 000003
【産業上の利用可能性】
【００３３】
本考案は、イカ釣りに使用されるヤエンに広く適用され得る。
【図面の簡単な説明】
【００３４】
【図１】本考案の実施形態の一例を示す斜視図である。
【図２】本考案の他の実施形態を示す斜視図である。
【図３】本考案のさらに他の実施形態を示す斜視図である。
【図４】図１に示すヤエンのＸ矢視図である。
【図５】本考案の糸係合部を拡大表示したもので、（ａ）は支持体を長尺方向側から見た図であり、（ｂ）は（ａ）のＹ矢視図である。
【図６】本考案によるヤエンの投入状態を示したもので、（ａ）はヤエンがイカの上側に入った状態を示す説明図、（ｂ）はイカが暴れた状態を示す説明図である。
【符号の説明】
【００３５】
１，１１，２１  イカ釣り用ヤエン（ヤエン）
２，２２  支持体
３  糸係合部
４  傘針
５，６  掛け針
９  フッ素樹脂コーティング
３０  道糸
４０  イカ
【図１】
0003141776.tif 000004
【図２】
0003141776.tif 000005
【図３】
0003141776.tif 000006
【図４】
0003141776.tif 000007
【図５】
0003141776.tif 000008
【図６】
0003141776.tif 000009